Podtech/llm-jp-corpus-v4-ja_patent huggingface dataset:
(57)【要約】      （修正有）【課題】  盗難防止付き傘を提供すること。【解決手段】  傘の玉留を二段構造にし、それを鍵として傘の開閉に利用し、傘の盗難防止を図るもので、玉留は上下が回転する構造になっており、玉留の中に上下に仕切り４，５があり、傘の手元の先に突起６を作る。仕切りには穴があり、その突起６が穴を通過することにより傘が開き、穴を違えることにより、傘が開かない状態になる。  玉留にはシールで五十音やアルファベット、数字等の文字を上下に貼ることにより、上下の文字を合わせ、その傘固有の名前、番号を合わせないと傘が開かないので盗難を防止できる。【選択図】  図１
2006288996.tif 000002
【特許請求の範囲】
【請求項１】
鍵の構造を設けたことを特徴とする傘の玉留
【請求項２】
固有の名前や符号等により傘を開閉することを特長とする請求項１記載の傘の玉留
【請求項３】
形状を丸や多角形の形にすることも可能な、ファッション的な特長を有する請求項１記載、請求項２記載の傘の玉留
【発明の詳細な説明】
【技術分野】
【０００１】  本発明は、傘の玉留に鍵の構造を装着するものである。
【背景技術】
【０００２】  従来の傘の玉留の形状は単に傘が開かないように、露先（３）を留めるものである。
【発明の開示】
【発明が解決しようとする課題】
【０００３】  しかしながら、従来の玉留は単に傘が開くのを防止するために取り付けられていた。
そこで、この発明は鍵の構造をもつ玉留を取り付けることにより、指定された記号等に合わせないと傘の開閉ができず、傘の盗難を防止することができる傘の玉留を提供することを課題とする。
【課題を解決するための手段】
【０００４】  以上の課題を解決するために、第一発明は、玉留を回して所定の位置に合わせないと玉留が上下に動かない鍵状の構造にした玉留である。【０００５】  また、第二発明は、第一発明の玉留に記号を設け、指定の記号に合わせないと傘が開かない状態にした玉留である。【０００６】  さらに、第三の発明は、第一発明、第二発明の玉留を丸や多角形の形状にした玉留である。
【発明の効果】
【０００７】  第一発明、第二発明は傘の盗難防止につながるものであり、第三発明は玉留にファッション的要素を取り入れたものである。
【発明を実施するための最良の形態】
【０００８】この第一発明の実施形態を、図１と図２に示す。
（イ）従来の玉留の代わりに、図１のように二段に仕切りのある玉留を取り付ける。
（ロ）中棒に図１の突起（６）を取り付ける。
（ハ）仕切り上下（４・５）に図２のように突起が通る穴（８）をあける。
（ニ）玉留は左右に回転するようにしておく。
（ホ）露先（３）を図１のように玉留で止め、玉留を回転し仕切りの上下（４・５）の突起が通る穴（８）の位置を代えることにより玉留が鍵となる。【０００９】この第二発明の実施形態を、図３に示す。
（イ）表面には図３のように五十音等を記載したシールを貼る。
（ロ）例えば図３の仕切り図のように（あ）（き）部分〔指定の記号〕に合わせることにより、突起（６）が通るようにする。
（ハ）図３のように五十音等をシールで貼ることにより、傘を開くのに固有の名前が必要となり、傘に名前を付けることができ、傘に対する愛着もます。また、傘の模様に猫等のペットをあしらうことにより、その名前とすることもできる。【００１０】「実施形態の効果」
この実施形態によれば、玉留を鍵にすることができ、傘の盗難を防止することができる。本発明はこのような簡単な方法で、問題を解決したものである。【００１１】「他の実施形態」
この第三の発明の実施形態を、図４に示すと、玉留にはいろいろな形が考えられ、ファション的にも傘のイメージを変えるものである。
【図面の簡単な説明】
【００１２】
【図１】  本発明玉留部分図及び全体図
【図２】  本発明仕切り断面図（仕切り上図・仕切り下図）
【図３】  本発明玉留表面図及び仕切り上図・下図
【図４】  本発明丸い玉留及び角がある玉留及び多角形の玉留（断面図）
【符号の説明】
【００１３】１は親骨  ２は中棒  ３は露先  ４は仕切り上  ５は仕切り下
６は突起  ７は手元  ８は突起が通る穴
【図１】
2006288996.tif 000003
【図２】
2006288996.tif 000004
【図３】
2006288996.tif 000005
【図４】
2006288996.tif 000006
(57)【要約】【課題】  電磁調理器で揚げ物をする時、下側に焦げ目がつかず均一に揚げられ、揚げかすを簡単に取り除き、安全に行なえる補助具を提供する。【解決手段】  天ぷら鍋の内側に耐熱性網状の補助具を使用する事により、揚げ物がきれいに安全に揚げられ、また揚げかすを簡単に取り除く事を特徴とする電磁調理器用補助具。【選択図】  図１
2006288992.tif 000002
【特許請求の範囲】
【請求項１】
底が平面となったてんぷら鍋と、てんぷら鍋に収まる大きさ形状より成り、底面が平面状で揚げかすをすくうことのできる耐熱性網状の揚げ容器と、揚げ容器に設けられた取っ手と、揚げ容器を容器内揚げ物全体に、油加熱可能となる任意高さ位置で固定する脚とよりなる補助具で構成された電磁調理器用調理具。
【請求項２】
揚げ容器底面に一部を覆う板形状の受け補助具を一体あるいは着脱可能に設けたことを特徴とする請求項１記載の電磁調理器用調理具。
【発明の詳細な説明】
【技術分野】
【０００１】  本発明は、電磁調理器を利用して揚げ物を揚げる際に、鍋底に直接揚げ物が触れない様にすると共に、揚げかすを手早く除去する調理具に関する。
【背景技術】
【０００２】  天ぷら鍋は底面が湾曲した形状となっていて、電磁調理器用として底が平らなものがあった。これに油を入れ、揚げ物を直接入れて調理していた。
【発明の開示】
【発明が解決しようとする課題】
【０００３】  そのために、次のような問題点があった。
丸底の鍋の場合、熱伝導性に欠けるので電磁調理器では使用できなかった。
底が平面状のものにおいては、揚げ物を揚げている際、鍋底に接した側が黒く焦げてしまう。また、冷凍の揚げ物の際には初めに触るとくずれてしまうので、触れる様になるまで待っていると、下側が焦げてしまうのできれいに揚げられない。また、揚げかす取りも揚げ物をしながら行うので、中に入れた揚げ物に邪魔されたりして取りずらく、落ち着いて取れない。また、ひっくり返す時に油はねを注意しなければならなかった。
本発明は以上の問題点を解決しようとするものである。
【課題を解決するための手段】
【０００４】  平底となった天ぷら鍋と天ぷら鍋に収まる大きさ形状よりなり、底面が平面状となった耐熱性網状の揚げ容器と、揚げ容器に設けられた取っ手と、揚げ容器を容器内揚げ物全体に油加熱可能となる任意高さ位置で固定する脚とよりなる補助具で構成された電磁調理器用調理具。
【発明の効果】
【０００５】  本発明は、揚げ物を均一に揚げ、なおかつ揚げかすを簡単に取り除く事ができ、また、作業が安全にやり易く行う事が出来る。天ぷらの場合などは受け補助具を補助具底に落しこみ、底の金板の部分に天ぷらのたねを衣ごと落すと網目に衣が詰まらず、きれいに揚げることが出来る。
【発明を実施するための最良形態】
【０００６】  以下、本発明の実施の形態について説明する。
本発明は、鍋本体と、この鍋に使用する補助具とにより構成される。
鍋本体は、任意の電磁調理器の可熱部表面に広範囲で接触する平底となったものであり、任意の取っ手が設けられている。補助具は鍋に収まる形状の網容器と、網容器に設けられた取っ手により構成されている。
網容器は、フレーム体と金網から構成されるものであり、フレーム体としては鍋の内形状に合わせた輪状の開口フレームと、輪状の底フレーム、そして開口フレームと底フレームを上下に連結する複数の側面フレームからなっている。また、側面フレームは底フレームより下方に突出して脚を形成している。
側面フレーム及び底フレームには金網が張られ、容器を形成している。この際底面は鍋底に対してほぼ均等な間隔で垂平に配置される。金網は天ぷら揚げに適した目の大きさよりなり、天かすをすくいあげられるものである。
また、開口フレームには取っ手が鍋からはみだすように設けられている。
また、揚げ物の内容によって使用する受け補助具も具備する。受け補助具は金属板を揚げ容器底の一部を覆うものである。図においては中心に穴を有するドーナツ状となっているが、これに限定されるものではなく、扇状や略長方形等で天ぷら等を投入した際に網目に衣が入りこまない大きさ形状であればよい。又、補助具底面に一体に形成することも可能である。
本発明は、以上の構成によりなっている。
本発明を使用する時は、天ぷら鍋に油を入れ、補助具を静かに天ぷら鍋に投入する。温度設定まで上がってきたら、揚げ物を投入する。中の揚げ物が次第に揚がってきたら補助具の取っ手を持ち、油の上ぐらいまで持ち上げ、中の揚げ物をひっくり返す。また揚がってきたら取っ手を引き上げ、揚げ物を取り出す。その後、流し等で、新聞紙等に補助具をひっくり返し、揚げかすを除去する。また、天ぷらの場合などは受け補助具を補助具底に落しこみ、底の金板の部分に天ぷらのたねを衣ごと落とすと網目に衣がつまらず、きれいに揚げることが出来る。
【図面の簡単な説明】
【０００７】
【図１】本発明の斜視図
【図２】本発明の使用状態を示す斜視図
【図３】本発明の補助金具の平面図
【図４】本発明の補助金具の斜視図
【図５】本発明の補助金具の使用状態を示す斜視図
【符号の説明】
【０００８】      １  開口フレーム
２  金網
３  側面フレーム
４  底フレーム
５  脚
６  天ぷら鍋
７  取っ手
【図１】
2006288992.tif 000003
【図２】
2006288992.tif 000004
【図３】
2006288992.tif 000005
【図４】
2006288992.tif 000006
【図５】
2006288992.tif 000007
(57)【要約】      （修正有）【課題】この発明は、入院患者が使用する簡易トイレ使用時、寝たきりの高齢者の排便時、また、オムツ交換時の排便臭が  病室、寝室に漂うとゆう不快を解決すること。【解決手段】パイプ横腹に、吸込穴を設けたパイプワクに裾幅広の透明ビニ−ルカバ−の裾に、チェ−ンウエ−トと、手入れ口を設けたカバ−をかぶせ腰の部分に覆い被し、排便時や、オムツ交換時の臭いを、カバ−内から漏らすことなくバキュ−ムモ−タ−で  室外に強制排気する事で、課題を解決する。【選択図】図１
2006288997.tif 000002
【特許請求の範囲】
【請求項１】
（イ）パイプ（１）の横腹に吸込みの為の穴を設ける。
（ロ）透明ビニ−ルカバ−（３）の  裾部分（４）にチエ−ンウエイト（５）５ヶ所の手入れ口を設ける。
（ハ）寝たきり患者の腰の部分に被せて排便臭を吸引強制排気する。
以上の如く構成された排便時の排便臭吸引装置。
【発明の詳細な説明】
【発明の詳細な説明】
【技術分野】
【０００１】この発明は、ベット又は寝具に寝たままの、高齢者や、事故入院患者の簡易トイレ使用時の排便臭、又、オムツ交換時の便の臭いを吸引し、バキュ−ムモ−タ−で室外に強制排気する装置である。
【背景技術】
【０００２】従来、寝たままの高齢者、事故入院患者の排便時の大便臭は、天井の換気扇で換気する程度だったために、臭いが換気しきれず、部屋中に大便臭がただよい不快であった。
【発明が解決しようとする課題】
【０００３】そこで、不快であった大便臭を、室内、病室にただよわす事無く、排便臭を強制的に室外に排気が可能となり、介護を受ける人も大便臭を、気にする事無く排便ができる。  また、本発明は、多くの患者、家族介護者、介護ヘルパ−の強い要望にこたえるために、発明された装置である。
【課題を解決するための手段】
【０００４】  いま、その構成を説明すると、
（イ）（１）パイプの横腹に、（２）  吸込穴を設ける。
（ロ）（３）の透明ビニ−ルカバ−の（４）裾にチェ−ンウエ−トと（５）手入れ口を設けた裾幅広の透明ビニ−ルカバ−。
（ハ）吸込み穴明きパイプ（イ）に（ロ）をかぶせ、患者の腰の部分を被うようにかぶせるよう設置して排便臭を吸込み穴から吸引し、バキュ−ムモ−タ−で室外に臭いを強制室外排気する事で、課題は解決できる。
【発明を実施するための最良の形態】
【０００５】次に、本発明の実施の形態を述べると、組み立てた装置を、寝たきりの患者の腰の部分にかぶせるよう設置し、カバ−の裾を広くしてあるのと、裾にチェンウエ−トが設けてあるので、腰の部分にかぶせた時、すきまができず、どんな、御腹の形でも、どんな、太ももの形にも、股の部分をすっぽりと被うことが出来るので、カバ−の中の臭いが、カバ−の外に、臭いを漏らす事なくバキュ−ムモ−タ−で大便臭を強制室外排気できる。
したがって、病室や寝室、介護をされる人も、介護をする人も、排便臭で悩まされることが無く、介護作業ができる。また、手入れ口を設けてあるのでカバ−の中の介護作業が楽にでき、効果、目的を達することができる。
【発明の効果】
【０００６】したがって、排便時の、臭いを気遣う事無く、気持よく排便ができ、また、介護する家族、介護士、介護ヘル−パ−が臭いでの精神的負担も軽減する事ができ効果大である。
【産業上の利用可能性】
【０００７】本発明に係わる排便臭強制室外排気装置は、工業的に量産する事が可能であるため、産業上の利用可能性を有する。
【図面の簡単な説明】
【図１】本発明の使用斜視図
【図２】本発明の吸込み穴を設けたパイプの斜視図
【図３】本発明の手入れ口を設けた透明ビニールカバーの平面図
【符号の説明】
１  はパイプ
２  は吸込み穴
３  は透明ビニ−ルカバ−
４  はチエ−ンウエ−ト
５  は手入れ口
【図１】
2006288997.tif 000003
【図２】
2006288997.tif 000004
【図３】
2006288997.tif 000005
(57)【要約】【課題】釦を釦ホールに入れて留めるのでなく、釦に紐を引っ掛けて留められ、紐を留め易くて外れ難くするために釦に取り付ける留め具を提供する事。【解決手段】略Ｗ字形状の樹脂製留め具を釦の裏に取り付け、紐を引っ掛けられて、該釦と該樹脂製留め具の間に紐を挟み、紐に結び目を設ける事で抜け難くする事が出来る。【選択図】図５
2006288994.tif 000002
【特許請求の範囲】
【請求項１】
紐を釦に留めるための略Ｗ字形状の樹脂製留め具であって、釦の裏に取り付けて、該釦と該樹脂製留め具の間に紐を挟み、紐に結び目を設けると抜け難くなる事を特徴とする樹脂製留め具。
【請求項２】
ポリアセタールを使用する請求項１に記載の樹脂製留め具。
【請求項３】
略Ｗ字形状の樹脂製留め具の両端紐挿通面を湾曲させる事により、紐を挿通し易くした事を特徴とする請求項１に記載の樹脂製留め具。
【請求項４】
略Ｗ字形状の樹脂製留め具を釦足に取り付ける際に、該樹脂製留め具の弾性を利用し釦足に確実に留める事が出来る請求項１に記載の樹脂製留め具。
【発明の詳細な説明】
【技術分野】
【０００１】本発明は衣類の釦の留め具に関する。
【背景技術】
【０００２】  従来、釦ホールに入れて留めるのでなく紐を引っ掛けて留めるタイプの釦においては紐が引っ掛け難く抜け易いという問題があった。【０００３】
【特許文献１】登録実用新案登録第３０９２５０１号公報
【発明の開示】
【発明が解決しようとする課題】
【０００４】  本発明は釦を釦ホールに入れて留めるのでなく、釦に紐を引っ掛けて留められ、紐を留め易くて外れ難くするために釦に取り付ける留め具を提供する事を目的とする。
【課題を解決するための手段】
【０００５】  本発明は、以上の課題を解決するため、略Ｗ字形状の樹脂製留め具を釦の裏に取り付け、紐を引っ掛けて留めて該釦と該樹脂製留め具の間に紐を挟み、紐に結び目を設ける事で抜け難くする事が出来る。樹脂にはポリアセタール等を使用するので、弾性があり、紐引っ掛け突出部で確実に係止された紐は紐収納部に収納されて、不用意に外れる事はない。両端紐挿通面を湾曲させてあるので、紐を挿通し易く、また外す時には樹脂のために容易に外す事が出来る。【０００６】  留め具の素材はポリアセタールの他、ナイロン、ポリウレタン等の合成樹脂を使用する事により、本発明の釦に供する事が出来る。【０００７】  なお釦本体については金属素材でも硬質合成樹脂素材でも本発明の釦に供する事が出来る。
【発明の効果】
【０００８】  本発明は釦を釦ホールに入れて留めるのでなく、釦に紐を引っ掛けて留められ、紐を留め易くて外れ難くするために釦に取り付ける留め具を提供する事が出来る。
【発明を実施するための最良の形態】
【０００９】  以下、本発明の実施の形態を図１〜図５に基づいて説明する。【００１０】  図においては１は釦本体、１ａは裏足。２は樹脂製留め具。２ａは裏足接続部、２ｂは紐引っ掛け突出部、２ｃは紐収納部である。
【図面の簡単な説明】
【００１１】
【図１】本発明の実施形態を示す紐挟み留め具を釦に取り付けた時の下方斜視図。
【図２】同紐挟み留め具を示す斜視図。
【図３】同紐挟み留め具を示す側面図。
【図４】同紐挟み留め具を示す底面図。
【図５】同紐挟み留め具に紐を引っ掛けた状態を示す斜視図。
【符号の説明】
【００１２】  １  −釦本体
１ａ  −裏足
２  −樹脂製留め具
２ａ  −裏足接続部
２ｂ  −紐引っ掛け突出部
２ｃ  −紐収納部
３  −紐
【図１】
2006288994.tif 000003
【図２】
2006288994.tif 000004
【図３】
2006288994.tif 000005
【図４】
2006288994.tif 000006
【図５】
2006288994.tif 000007
(57)【要約】【課題】  従来、固形の薬やサプリメント（錠剤やカプセル剤など）等を飲む時、薬瓶から取り出した薬やＰＴＰから押し出したりした薬を、手のひらにとるか机などに一度バラして置いてからそれをつまんで飲んでおり、不潔な場合が多い。また複数の薬を一度に飲む場合には先に薬瓶から取り出した薬や、ＰＴＰから押し出した薬の置き場所に困って、時にはこぼれたりして飲みにくく不便であり、さらに飲む前に薬の種類や量を再確認することが出来なく、誤投与につながることもあった。  しかし、従来、固形の薬やサプリメント等を飲む時に用いる専用の受け皿は存在しなかった。【解決手段】  固形の薬やサプリメント等を飲む時に用いる専用の受け皿である。手のひらサイズの浅い縁のある皿で、飲み口ととってがついていることを特徴とする。【選択図】図１
2006288998.tif 000002
【特許請求の範囲】
【請求項１】
固形の薬やサプリメント（錠剤やカプセル剤など）等を飲むために薬瓶やＰＴＰなどから薬を取り出した時、清潔で、こぼれにくく、飲みやすく、また、飲む前に薬を再確認することが出来ることを特徴とする、専用の受け皿。
【請求項２】
前記受け皿は、浅い縁のある手のひらサイズの皿で、飲み口ととってが付いていることを特徴とする請求項１記載の専用の受け皿。
【発明の詳細な説明】
【技術分野】
【０００１】  この発明は、固形の薬やサプリメント（錠剤やカプセル剤など）等を飲む時に用いる飲み口ととってが付いた専用の受け皿に関する。
【背景技術】
【０００２】  従来、固形の薬やサプリメント等を飲む時に用いる専用の受け皿は存在しない。
【発明の開示】
【発明が解決しようとする課題】
【０００３】  従来、固形の薬やサプリメント等を飲む時に、薬瓶から取り出した薬やＰＴＰから押し出した薬は、手のひらにとるか、机などに一度バラして置いてからそれをつまんで飲んでおり、手のひらや机が不潔で清潔さが損なわれることが多く、また複数の薬を一度に飲む場合には先に薬瓶から取り出した薬やＰＴＰから押し出した薬の置き場所に困ったり、時にはこぼれたりして飲みにくく不便であった。さらに飲む前に薬の種類や量を再確認することが出来なく、誤投与につながることもあった。
そこで、この発明は、固形の薬やサプリメント等を飲む時に用いる専用の受け皿を提供することを課題とする。
【課題を解決するための手段】
【０００４】  以上の課題を解決するために、第一発明は、固形の薬やサプリメント等を飲む時に用いることを特徴とする専用の受け皿である。
第二発明は、手のひらサイズの浅い縁のある皿で、飲み口がついていることを特徴とする専用の受け皿である。
第三発明は、この専用皿には持ちやすいようにとってを付け、また、縁に穴を開けてつるして保持しておくことも出来ることを特徴とする専用の受け皿である。
【発明の効果】
【０００５】  第一発明、第二発明および第三発明によれば、固形の薬やサプリメント等を飲む時に専用の受け皿を使用することにより、薬を手のひらにとったり、机などに一度バラして置いてからそれをつまんで飲んだりすることが無くなり、清潔に飲むことができる。また従来、複数の薬を一度に飲む場合には先に薬瓶から取り出した薬や、ＰＴＰから押し出した薬の置き場所に困ったり、時にはこぼれたりして飲みにくく不便であったが、この受け皿に一度入れて、飲み口から口に運んで飲むことでこれらが解消され、清潔で、こぼれにくく、飲みやすくなる。さらに、この受け皿で、薬の種類や飲む量を再確認してから飲むことが出来るので、誤投与による事故を防ぐことにも繋がる。
【発明を実施するための最良の形態】
【０００６】  この発明の一実施形態を、図１に示す。
固形の薬やサプルメント等を飲むときの専用の受け皿は手のひらサイズの大きさで、プラスチックなどで出来ており、浅い縁のある皿で、飲み口ととってが付いた受け皿である。受け皿の底は据わりが良いように平にする。【０００７】「実施形態の効果」
この実施形態によれば、薬瓶から取り出した薬やＰＴＰから押し出した薬をこの受け皿に入れることで、手のひらの汚れや机などの不潔な場所に置くことから防ぐことができ、また一度に多くの薬等を飲むときにも、先に取り出した薬やサプリメントをこの受け皿にまとめて入れておき、受け皿の飲み口から口に運んで飲むことで、清潔で、こぼれにくく、飲みやすく、また、薬の種類や量を再確認してから飲むことが出来るので、誤投与防止に繋がる。【０００８】「他の実施形態」
図１の実施形態のほかに、他の実施形態も可能である。図２はその一実施例。
材質は、プラスチックのほか、ポリプロピレン、ＡＳ樹脂、ガラス、陶器、セラミックなどで良い。紙製も用いられるが、清潔に保持するため洗ったり拭いたりしても丈夫な材質が良い。  形は、丸、四角、楕円形、その他変形など、持ちやすい形で良い。また、受け皿の底を手指の形に合わせて、持ちやすい形にすることも出来る。大きさは、手のひらサイズが基本であるが、大人用とか、子供用など、使用者に応じた大きさで良い。色は、薬やサプリメントの色に調和する色がいいが、どんな色にすることも出来る。また、注意書きやその他の文字、あるいは絵などを記載することも出来る。飲み口は大人用と子供用で大きさは異なるが、口にあててちょうど良い大きさが良い。とっては持ちやすくするためであり、飲み口と９０度の位置に付けると持ちやすいが、左右２箇所につけることも良い。また、好みに応じてつけなくても良い。また、縁に穴をあけてつるして保持すると便利であるが、なくても良い。
【図面の簡単な説明】
【０００９】
【図１】この発明の一実施形態を示す斜視図である。
【図２】この発明の他の一実施形態を示す斜視図である。
【符号の説明】
【００１０】１  受け皿本体            ２  とって
３  飲み口                ４  つるす為の穴
【図１】
2006288998.tif 000003
【図２】
2006288998.tif 000004
(57)【要約】【課題】  今まで店頭等で探しても見つからなかった。寒い日は，頭部を，毛布や半天等で覆って不便だった。布団に防寒フードをセットすることで，頭・肩部を冷えから守り安眠を提供する。【解決手段】防寒フードを布団にセットすると同時に，土台の枠が取り外せることを特徴とする。【選択図】  図１
2006289000.tif 000002
【特許請求の範囲】
【請求項１】
半ドーム状の布地で出来たフードと，それを支える土台から成り，且つ布団の頭部にセットすることが可能である，就寝中における頭及び肩などにかかる寒さから守るための防寒用フード
【請求項２】
半ドーム状の布地で出来たフードと，それを支える土台が，ファスナーにより取り外しが可能であることを特徴とする，請求項１に記載する防寒用フード
【請求項３】
かかるフードには，弾力性のあるパイプが取り付けられており，フードが半ドーム状に曲線にセットすることが可能であることを特徴とする，請求項１〜２に記載の防寒用フード
【発明の詳細な説明】
【技術分野】
【０００１】  本発明は，就寝中の頭及び肩を寒さから守るために，布団の頭部にセットする防寒用フードに関するものである。
【背景技術】
【０００２】  従来，防寒のために，毛布や綿入れ半天などで頭部を覆っていた。
【発明の開示】
【発明が解決しようとする課題】
【０００３】  従来，就寝中の頭や肩にかかる寒さを防ぐために，毛布や半天等で覆っていたが，寝返りなどで倒れてしまい固定するのが困難であった。本発明は，以上のような欠点を解決するためになされたものである。
【課題を解決するための手段】
【０００４】  土台となる枠に，貝をイメージした半ドーム状のフードを取り付ける。
以上の構成より成る貝をイメージしたフードを，布団の頭部にセットするものである。
【発明の効果】
【０００５】  フードを布団で固定するので，暖かく包まれた感じでよく眠れる。また，夏の暑い夜など，布地の薄いフードに取り替えれば，クーラーの冷えから頭を守ることができる。
土台とフードの取り外しができるので，始末も簡単で収納に場所をとらない。
【発明を実施するための最良の形態】
【０００６】  以下，本発明を実施例によって更に詳細に説明するが，本発明は，これら実施例により何ら限定されるものではない。
見た目にもいいように，貝をイメージしてキルティング地等の厚布（１）に，７本の細いパイプ（２）を縫いこむ。
その間にダーツ（３）を入れて中央部がふくらむようにする。
フードの内側にボア布（４）を縫い付けると，より暖かくなる。
寝た時に，目の上にフードが覆い被さらないように，長さを調節する。
フード部分の下部に，片方のファスナー（５）を取り付ける。
布団の下敷きになる布（６）で，枠になるセルロイド板（７）も包み，枠の下部にフードの片方のファスナー（５）を取り付ける。
フードと土台の枠を，ファスナー（５）で止める。
フードの上部が曲線になるように，取り外しができるパイプ（８）を両側から挿入し，中央で繋ぎマジックテープ（９）で数箇所とめる。
両端は土台の枠のパイプ（１０）に差しこむ。
本発明は，以上のような構造で，これを使用するときは，土台とフードをファスナーでつなぎ，布団の頭部に差し込んで寒さから頭・肩を守り，圧迫感もなく安眠できる。
【図面の簡単な説明】
【０００７】
【図１】  本発明の全体図である。
【図２】  本発明の斜視図である。
【図３】  本発明の背面図である。
【図４】  本発明のフードの展開図である。
【図５】  本発明の土台の斜視図である。
【図６】  本発明の部品図である。
【符号の説明】
【０００８】  １  キルティングの表布
２  細いパイプ
３  ダーツ
４  ボアの裏地
５  ファスナー
６  下敷きの布
７  セルロイド板（枠）
８  パイプ
９  マジックテープ
１０  パイプ止め
【図１】
2006289000.tif 000003
【図２】
2006289000.tif 000004
【図３】
2006289000.tif 000005
【図４】
2006289000.tif 000006
【図５】
2006289000.tif 000007
【図６】
2006289000.tif 000008
(57)【要約】【課題】歯ブラシと歯磨き剤、二つを一つにした為、家庭で使用する場合、又は携帯する場合も便利である。【解決手段】歯ブラシ２の柄部に貫通する穴６をブラシ部７まで設け、ネジ接合により、歯磨き剤容器１をつなげ、その歯磨き剤容器１を回すことにより、歯ブラシ２の穴４と歯磨き剤容器先端部９との空間の有無を調整して、歯磨き剤を歯磨き剤容器の穴５から、歯ブラシの穴４から、穴６を通し、ブラシ部７へ適量出し、使用するものである。【選択図】    図１
2006288995.tif 000002
【特許請求の範囲】
【請求項１】
容器に入れた歯磨剤と柄から植毛部分までその歯磨剤が出るように貫通した穴を設けた歯ブラシをつなげた歯磨剤付き歯ブラシ。
【発明の詳細な説明】
【技術分野】
【０００１】本発明は、歯ブラシに関するものである。
【背景技術】
【０００２】歯磨きの方法は歯ブラシにチューブ等に入った歯磨き剤を搾り出し、付け磨くものである。
【発明が解決しようとする課題】
【０００３】歯磨き剤の蓋を開け歯ブラシに歯磨き剤を付けるのはめんどうであり、なおかつ、歯磨き剤を出した後、その歯磨き剤がチューブの口の部分に付いてしまい何度か使用しているうちに、固まり、時々きれいにしてやらないと気持ちが悪いものである。
【課題を解決するための手段】
【０００４】本発明は、柄の部分から先端の植毛部分まで歯磨き剤が通るよう、貫通した穴を設けた歯ブラシと、容器に入った歯磨き剤をつなげることで、手間を省き、歯磨き剤が固まることを防ぐ。
【発明の効果】
【０００５】本発明は、歯ブラシと歯磨き剤を一緒にすることで、手間を省き、歯磨き剤の固まりを防ぎ、使用の度に，歯ブラシと共に、歯磨き剤の容器まで洗浄するため、清潔であり、なおかつ、携帯する場合にも、歯ブラシと歯磨き剤を別々に持って行くこともなく、便利である。
【発明を実地するための最良の形態・実地例】
【０００６】本発明は歯磨き剤付き歯ブラシは、柔軟性に富む歯磨剤容器１と、歯磨き剤が出るための穴４を設けた歯ブラシ２をネジ部分３により、つなぐものであり、液漏れをふせぐ為に柔軟性に富むパッキン８を備える。
歯磨きを行う場合、まず歯磨き剤容器１を回し、ネジ３をゆるめることにより、穴４に密着していた、歯磨き剤容器１の先端部分９が離れることになり、歯磨き剤容器１を押すと、歯磨き剤が歯磨き容器の穴５を通り、歯ブラシの穴４を通って穴６から出る。歯磨き剤を適量出した後、歯磨き剤容器１をまわすことにより、歯ブラシの穴４と、歯磨き剤容器１の先端部９が密着し、流出しなくなる。
又、パッキン８が、柔軟性に富む為、歯磨き剤容器１をいずれの状態に回しても液漏れを防止する。
【図面の簡単な説明】
【図１】      本発明の歯磨き剤付歯ブラシの断面図である。
【符号の説明】
１        歯磨き剤容器
２        歯ブラシ
３        ネジ部
４        歯ブラシの穴
５        歯磨き剤容器の穴
６        歯ブラシの穴
７        歯ブラシのブラシ
８        パッキン
９        歯磨き剤容器先端部
【図１】
2006288995.tif 000003
(57)【要約】      （修正有）【課題】従来の指圧器で首の指圧器もあつたが、首の指圧に充分な効果が得られるように、構造が改善されたものを提供する。【解決手段】仰向け寝姿勢で首の指圧器を使用した時、首に垂直に指圧をするためには頭の自重の力を利用して、てこの原理を応用する。首と頭の間の支点２を中心に突起軸５の台座部分３と枕部分４に角度を設け、頭の自重と指圧器の円弧状の動きを利用して首を指圧し、首筋のはり、肩こりを緩和させる。又、突起軸を取り外し、指圧の強弱を選べるようにした。【選択図】図１
2006288986.tif 000002
【特許請求の範囲】
【請求項１】
この発明は、てこの原理で、首と頭の間を支点とする首の指圧器と枕の部分を１体化させたものにより、首筋のはり・肩こりを緩和させる。
【請求項２】
標準の突起軸の位置は首の風池と呼ばれるツボを押さえられる範囲とする。
【請求項３】
オプション品として、突起軸を左右に移動させる事により自分に最も適した部位の指圧ができるようにする。
【請求項４】
首筋のはり・肩こりの症状の度合いにより指圧の強弱を変えるために、突起軸の長さを変えられるようにする。
【請求項５】
首筋のはり・肩こりの症状の度合いにより指圧の強弱を変えるために、突起軸の先端部を取替えられるようにする。
【請求項６】
球状突起軸の台座にあたる部分に首のまるみに合わせてＲをつける。
【請求項７】
この首の指圧器の枕の部分に頭のまるみに合わせてＲをつける。
【請求項８】
枕の部分は頭があたるため、スポンジ等の柔らかな素材を貼り付けて感触を和らげる。
【請求項９】
この首の指圧器の材料は、主に合成樹脂材にて形成、、その部位により木材・金属材もその範疇に入るものとする。
【発明の詳細な説明】
【技術分野】
【０００１】  本発明は、てこの原理にて首の指圧器と枕の部分を１体化させたものである。
【背景技術】
【０００２】  従来の首の指圧器では、仰向け寝姿勢で使用した時、突起軸を首の風池と呼ばれるツボに当てようとすると下の台座の部分が安定しない、なぜなら風池と呼ばれるツボは首より頭に近い部位にあり、その部位は寝姿勢の平行度より垂直ではなく斜めになっている、そのため効果的に首を指圧することができなかった。
【発明が解決しようとする課題】
【０００３】  従来の首の指圧器を、通常、仰向け寝姿勢で使用した時、指圧器の突起軸の角度と首の角度が合わず指圧器がずれてしまい充分な指圧の目的を果たせなかった。
【課題を解決するための手段】
【０００４】  てこ状の首の指圧器を発明、首と頭の間の支点を中心に突起軸の台座の部分と枕の部分に角度をつけたもので、頭の自重と指圧器の円弧状の動きを利用して首を指圧する。
【発明の効果】
【０００５】  枕の部分に頭を乗せることにより、支点を中心に突起軸の台座の部分が持ち上がり、台座に角度がついているために首の風池と呼ばれるツボに垂直に力が加わり指圧の効果が得られた。
【発明の実施するための最良の形態】
【０００６】  以下、本発明の実施の形態を図面を参照して説明する。
図１は、本発明の実施形態の一例を示す首の指圧器の斜視図である。
【０００７】  この首の指圧器は、図２中▲２▼を支点として▲４▼の枕の部分に頭を乗せることにより▲３▼の首にあたる部分が持ち上がり図１中▲５▼の部分の突起軸が首を指圧する。
【０００８】  本実施例の首の指圧器の標準品は突起軸の間隔を首のツボである風池を指圧するための間隔に定める。又、図３中の突起軸の５と８は一体物とする。
【０００９】  同、首の指圧器は突起軸の台座の部分に丸みをもたせ、突起軸が首に垂直に力が加わるようにした。又、枕の部分にも丸みをもたせると共に、スポンジ等の衝撃緩和材を貼り違和感をなくすようにした。
【０００９】  以下本発明の、首の指圧器のオプション品の説明をする。
【００１０】  図３中の７の部分は、図４中の６の孔にネジ込み式になっており着脱可能なため、標準品とは別に突起軸を他の６の孔に変えることにより、自分に最も適した部位の指圧ができる。（図５参照）
【００１１】  図３中の７の部分は、着脱可能なため、標準品とは別に図３中５の突起軸の長さを変えることにより、指圧の強弱が得られる。
【００１２】  図３中の８の部分をネジ込み式にして形状を変えることにより、指圧の強弱が得られる
【図面の簡単な説明】
【００１３】
【図１】  本発明の実施形態を示す首の指圧器の斜めから見た外観図
【図２】  同、首の指圧器の横から見た断面図
【図３】  同、首の指圧器の突起軸を斜めから見た外観図
【図４】  同、首の指圧器の突起軸の台座を上から見た外観図
【図５】  同、指圧器のオプションの突起軸の台座を上から見た外観図
【符号の説明】
【００１４】  １  首の指圧器本体の台座の部分
２  同、首の指圧器の、首の指圧の部分と枕の部分の支点となる所
３  突起軸の台座の部分
４  枕の部分
５  突起軸
６  突起軸をとめるネジ孔（Ｍ６〜Ｍ８）
７  突起軸のネジの部分（Ｍ６〜Ｍ８）
８  突起軸の先端部分
【図１】
2006288986.tif 000003
【図２】
2006288986.tif 000004
【図３】
2006288986.tif 000005
【図４】
2006288986.tif 000006
【図５】
2006288986.tif 000007
(57)【要約】【課題】手を汚さず、片手でしょう油パック等を絞れる、絞り具を提供する。【解決手段】下蓋と、該下蓋に開閉可能に連結された上蓋と、下蓋あるいは上蓋の少なくともどちらか一方にも受けられた突起とにより構成され、  下蓋および上蓋は閉じた状態で醤油やソース等を入れる任意の調味料入れパックを収納する収納空間と収納空間からつながる排出口を形成するとともに、前期突起は収納された調味料入れパックに排出孔を開けるものであることを特徴とする。【選択図】図１
2006288988.tif 000002
【特許請求の範囲】
【請求項１】
下蓋と、該下蓋に開閉可能に連結された上蓋と、下蓋あるいは上蓋の少なくともどちらか一方に設けられた突起とにより構成され、
下蓋および上蓋は閉じた状態で醤油やソース等を入れる任意の調味料入れパックを収納する収納空間と収納空間からつながる排出口を形成するとともに、前記突起は収納された調味料入れパックに排出孔をあけるものであることを特徴とするパック絞り具。
【発明の詳細な説明】
【技術分野】
【０００１】  本発明は、手を汚すことなくパックの醤油等を絞り出すパック絞り具に関するものである。
【背景技術】
【０００２】  従来、はさみやナイフ等でしょう油パック等を切ったり、パックの切り口から引き裂いていた。
【発明の開示】
【発明が解決しようとする課題】
【０００３】  そのために、次のような問題点があった。
（イ）はさみやナイフを使うと子供や老齢者には危険であった。
（ロ）障害者やけが人では、片手でしょう油パック等を絞れなかった。
（ハ）うまく切らないと中のしょう油が飛び出して、手や服についてしまった。
本発明は、これらの問題点を解決するためになされたものである。
【課題を解決するための手段】
【０００４】  下蓋と、該下蓋に開閉可能に連結された上蓋と、下蓋あるいは上蓋の少なくともどちらか一方にられた突起とにより構成され、
下蓋および上蓋は閉じた状態で醤油やソース等を入れる任意の調味料入れパックを収納する収納空間と収納空間からつながる排出口を形成するとともに、前記突起は収納された調味料入れパックに排出孔を開けるものである。以上を特徴とするパック絞り具。
【発明の効果】
【０００５】  手を汚さないで、片手で調味料等の液体パックを絞れるので、障害者やけが人でも自分でしょう油パック等を食べ物にかけることができる。刃物を使わないため大変安全である。
【発明を実施するための最良の形態】
【０００６】  以下、本発明の実施の形態について図１から図４をもちいて説明する。
本発明は図１に示すように上蓋（１）と下蓋（３）が一辺で折り曲げ可能に連結されたものである。
上蓋（１）は長方形板状となっており、下面に複数の突起（２）が任意の感覚で設けられている。大きさは醤油やソースなどを入れる任意の調味料パックよりも大きな形状となっている。突起（２）は先端に向かって鋭利となる形状となっている。
下蓋（３）はヒンジ構造で上蓋（１）と折り曲げ可能に連結されている。下蓋（３）は上蓋（１）とほぼ同形状であり左右側面に立ち上げ面（７）が設けられている。
上蓋（１）と下蓋（３）を折りたたんだ状態でこの立ち上げ面（７）が上蓋（１）の側面に嵌る事で調味料パックの収納部を形成するとともに、前面に排出口（６）を形成する。
また下蓋（３）には上蓋（１）の突起（２）が嵌りこむ下穴（４）が突起（２）に対応する位置に設けられている。
下穴（４）の形状としては、図２に示すように突起（２）の長さより深くその太さより大きいものであるが下蓋（３）を貫通することはない。
本発明は、以上のような構成で、これを使用するときは、図３のように醤油パック等を本発明の中に入れ、図４の様に手指等で上蓋（１）と下蓋（３）ではさみ圧着させる。そうすることで突起（２）が醤油パックを破り始め、突起（２）が下穴（４）に入ることで確実に醤油パックが貫通され穴が開き、パックの中から醤油が出てき、でてきた醤油は排出口（６）より本発明の外へ出、料理にかけることができる。その際、立ち上げ面（７）により醤油は排出口（６）以外からは出ることはない。
【図面の簡単な説明】
【０００７】
【図１】  本発明の斜視図
【図２】  本発明の端面図
【図３】  本発明中に醤油パックを収納した図
【図４】  本発明の使用状態を表す図
【符号の説明】
【０００８】１上蓋
２突起
３下蓋
４下穴
５折り曲げ可能とする部分
６排出口
７立ち上げ面
８しょう油パック
【図１】
2006288988.tif 000003
【図２】
2006288988.tif 000004
【図３】
2006288988.tif 000005
【図４】
2006288988.tif 000006
(57)【要約】【課題】  地震対策器具使用時、家具の扉の開閉を簡単にできるようにするとともに器具取り付けの際家具に穴をあけたり傷をつけたり汚さないようにする。【解決手段】  器具メス１の中に器具オス２を取り付け伸び縮みできるようにし、簡単に家具のとってに引っ掛けれるようにする。【選択図】  図１
2006288990.tif 000002
【特許請求の範囲】
【請求項１】
器具の伸び縮みを利用し家具のとって部分に引っ掛けれるようにした扉開き止め器具
【請求項２】
扉のとって部分に取り付けて扉を開かないように固定できる器具
【請求項３】
とって部分に引っ掛けるだけなので直接家具に穴をあけたり傷をつけることのない扉開き止め器具
【発明の詳細な説明】
【発明の詳細な説明】
【０００１】  本発明は器具の伸び縮みを利用し家具のとって部分に引っ掛けれるため普段簡単に取り付け取り外しができ手間がかからない上に、器具についているストッパー部分にて器具の伸びを防ぐことができ、地震災害時扉が開かないように固定できるものである。また本発明は基本的には家具のとって部分に引っ掛けるだけなので家具に穴をあけたり傷をつけたり汚す事の無い物である。
【０００２】  従来、地震災害時家具の扉を開かないように固定するものはひもや金具や家具に貼り付ける物しかなく、ひもは扉を開閉するたびに縛り直さなければならず面倒であり、金具は家具に穴をあけ固定しなければならないため家具を傷つける結果となり、又貼り付ける物は時間の経過とともに粘着力が弱まり、剥がすときにも粘着物が上手く取れずのこってしまっていた。
【０００３】  本発明はとって部分にて扉が開くのを止めることができるとともに、扉を開閉するたびにひも等を縛りなおす必要がなく、又取り付けの際にも家具に穴をあけたり傷をつけたり汚すことが無い。それを図面にて説明すると、器具メス１の中に器具オス２を取り付け普段はストッパー部分３にて器具が伸びないように固定されており、ストッパー部分３を上下から押さえると器具メス１と器具オス２のストッパー部分がしなりストッパーが解除され器具が伸びる。
【０００４】  このようにすれば扉をとって部分にて開かないように固定でき、又家具のとってに引っ掛けるだけなので扉開閉時も簡単に取り付け取り外しができ家具に穴をあけたり傷をつけたり汚すこともない。又空間４にバネを入れることにより手を離すと器具が自然に縮み、器具を手で押して縮める手間解消とストッパーの掛け忘れを防ぐこともできる。
【図面の簡単な説明】
【図１】  器具の断面図である
【図２】  器具を伸ばしたときの断面図である
【図３】  ストッパー部分を拡大した断面図である
【符号の説明】
１  器具メス
２  器具オス
３  ストッパー部分
４  空間
【図１】
2006288990.tif 000003
【図２】
2006288990.tif 000004
【図３】
2006288990.tif 000005
【手続補正書】
【提出日】平成17年6月6日(2005.6.6)
【手続補正１】
【補正対象書類名】特許請求の範囲
【補正対象項目名】全文
【補正方法】変更
【補正の内容】
【特許請求の範囲】
【請求項１】
器具の伸縮を利用し家具のとって部分に掛けれるようにした扉開き止め器具。
【請求項２】
扉のとって部分に取り付けて扉を開かないように固定できる扉開き止め器具。
【請求項３】
とって部分に掛けるだけなので直接家具に穴をあけたり傷をつけることの無い扉開き止め器具。
【請求項４】
器具を取り外した際、左右どちらのとってでも引っかけておける扉開き止め器具。
【手続補正２】
【補正対象書類名】明細書
【補正対象項目名】０００１
【補正方法】変更
【補正の内容】
【０００１】    本発明は器具の伸縮を利用し家具のとって部分に引っ掛けれるため普段簡単に取り付け取り外しができ、取り外した際左右どちらのとってでも引っ掛けておけ手に持ちっぱなしになったりわざわざ何処かに置く面倒も無い上に、器具についているストッパー部分にて器具の伸びを防ぐことができ、地震災害時扉が開かないように固定できるものである。また本発明は基本的には家具のとって部分に掛けるだけなので家具に穴をあけたり傷をつけたり汚すことの無いものである。
(57)【要約】【課題】  従来のパネル・フレームでは形状が決まっており、作者の自由な発想の表現を実現することが難しかった。【解決手段】  パネル・フレームの表面に漆喰を用いることにより、作者の自由な発想が実現できるようにした。【選択図】  図１
2006288985.tif 000002
【特許請求の範囲】
【請求項１】
作品の周囲の装飾を漆喰を使って自由な形態に仕上げることを、
特徴とする、
パネル・フレーム。
【請求項２】
作品部の下地に漆喰を塗ることを、
特徴とする、
請求項１に記載のパネル・フレーム。
【請求項３】
表・裏の両面に合板を貼った、請求項１に記載のパネル・フレーム。
【発明の詳細な説明】
【技術分野】
【０００１】  本発明は、形態の独創性と自由な発想ができる、エコロジー、吸放湿機能、耐久、衛生、芳香療法を兼ねられるパネル・フレームと、その製造方法に関する。
【背景技術】
【０００２】  書画の作品において、仕上がりは既存の表具、額、軸装、屏風やアクリル板等に頼らずを得ず、作家の自由な発想を盛り込めることが難しい。【０００３】  アクリル板等のパネル・フレームにはプラスチックが使用されており、廃棄の面における環境負荷が大きい。
【発明の開示】
【発明が解決しようとする課題】
【０００４】  以上に述べた従来のパネル・フレームでは作家の自由な発想が盛り込められにくく、有害物質が含まれるものがあった。【０００５】  本発明は、全材料中に、いかなる有害物質を含むことなく、漆喰を基材として漆喰のヒビ割れを防止するための強度を有し、作家の自由な発想が実現できることを目的とするものである。
【課題を解決するための手段】
【０００６】  本発明の漆喰を基材としたパネル・フレームは、漆喰の材料に水を加えたペースト状のときに、自由な発想のもと形状を自由に変化させることができる。【０００７】  また、型枠を用いることにより同一の形状のパネル・フレームを製造することができる。【０００８】  この製造過程で漆喰を塗る下地枠を成す木材と合板および漆喰は、非石油化学成分を含まないことにより、廃棄が簡単にできる。【０００９】  下地枠の表・裏の両面に合板を木工ボンドで貼ることにより、物理的強度が高くなり、漆喰のヒビ割れが防がれる。
【発明の効果】
【００１０】  本発明のパネル・フレームは、基材の漆喰が大きさや形状を自由に変化させることができるため、作家の自由な発想が実現できる。【００１１】  また、製造物の素材は全て自然に戻すことができるもので廃棄に問題がなく、木材においては再利用が可能であり、エコロジーに貢献できる。【００１２】  漆喰は固形の物質と混ぜ合わせることが可能であり、ハーブを混入させることにより、芳香療法に用いることができる。【００１３】  漆喰と全国各地の色の違う土や顔彩、岩絵の具と混合することで着色ができる。【００１４】  混合できるものは、以上の他に金、銀箔、藁、木片、貝殻、押し花、柿渋、漢方薬等多種にわたる。
【発明を実施するための最良の形態】
【００１５】  以下、本発明の実施形態を図１〜図４に基づいて説明する。【００１６】  本発明のパネル・フレームは図１のとおりの手順で製作される。【００１７】  図においては、１には竹釘を用いる。５は寒冷紗であり表側の合板と漆喰の間にある。
【図面の簡単な説明】
【００１８】
【図１】  本発明のパネル・フレームの製造方法を示すブロック図
【図２】  本発明に係る骨組みの見取り図
【図３】  本発明に係る骨組みに合板を接着した見取り図
【図４】  本発明に係るパネル・フレームの斜視図
【符号の説明】
【００１９】        １    竹釘
２    石州紙
３    合板（裏）
４    骨組み
５    合板（表）
６    寒冷紗
７    漆喰
【図１】
2006288985.tif 000003
【図２】
2006288985.tif 000004
【図３】
2006288985.tif 000005
【図４】
2006288985.tif 000006
(57)【要約】【課題】ハンディースキマーによる外部からのカード情報のスキミングを防御するアルミ箔で覆われたカード入れ付き財布を提供する。【解決手段】カード入れ付き財布の表地（１）と裏地（２）との間にアルミ箔（３）を設けたスキミング防止カード入れ付き財布を特徴とする。【選択図】図１
2006288989.tif 000002
【特許請求の範囲】
【請求項１】
カード入れ付き財布の表地（１）と裏地（２）との間にアルミ箔（３）を設ける。
以上の構成よりなるスキミング防止カード入れ付き財布。
【請求項２】
カード入れ付き財布の裏地（２）にアルミ箔（３）を接着剤で全面的に貼り付け固定した、請求項１のスキミング防止カード入れ付き財布。
【請求項３】
カード入れ付き財布の表地（１）にアルミ箔（３）を接着剤で全面的に貼り付け固定した、請求項１のスキミング防止カード入れ付き財布。
【発明の詳細な説明】
【技術分野】
【０００１】この発明は、カード入れ付き財布の表地と裏地の間にアルミ箔を設けることにより、スキマーによる外部からのカード情報スキミングを防御するスキミング防止カード入れ付き財布に関するものである。
【背景技術】
【０００２】従来、カード入れ付き財布は外部からスキミングされるという観念がなく、ススキミング防御の為にアルミ箔を使用することはなかった。
【発明の開示】
【発明が解決しようとする課題】
【０００３】これは次ぎのような欠点があった。
従来、カード入れ付き財布に収まっているカードは外部から情報をスキミングされる心配はなかったが、スキマーの技術力向上に伴い外部からでもカード情報をスキミングできるようになり、ハンディースキマーによるカードスキミング被害が増加する傾向にあった。
本発明は、以上のような欠点をなくすためになされたものである。
【課題を解決するための手段】
【０００４】カード入れ付き財布の表地（１）と裏地（２）との間にアルミ箔（３）を設ける。
本発明は、以上の構成よりなるスキミング防止カード入れ付き財布である。
【発明の効果】
【０００５】薄くて軽く柔軟性のあるアルミ箔を設ける事によりスキミングを防御すると同時に従来のカード入れ付き財布の状態を維持する事が可能である。
【発明を実施するための最良の形態】
【０００６】以下、本発明を実施するための最良の形態について説明する。
カード入れ付き財布の裏地（２）にアルミ箔（３）を接着剤で全面的に貼り付け固定する。
裏地（２）にアルミ箔（３）を張り付けるのは、アルミ箔（３）の強度を増す効果がありアルミ箔（３）の破損を防ぐ為である。
本発明は、以上のような構造でこれを使用するときは、財布としての機能は従来の財布と何ら変わりなく、かつ外部からカード情報をスキミングされる心配が全くなく携帯できることである。
これはカードケースやバッグにも利用可能である。
【図面の簡単な説明】
【０００７】
【図１】本説明の分解斜視図である。
【図２】本発明の斜視図であ
【符号の説明】
【０００８】１  カード入れ付き財布の表地
２  カード入れ付き財布の裏地
３  アルミ箔
【図１】
2006288989.tif 000003
【図２】
2006288989.tif 000004